(57)【特許請求の範囲】
【請求項１】
通信ネットワークを介した通信端末間のメッセージ通信について生成された通信利用情報に基づいて課金処理を行う課金処理方法であって、
前記メッセージ通信について生成された複数の通信利用情報のうち、少なくとも通信開始日時と送信元と送信先とが同一の複数の通信利用情報を特定するステップと、
前記特定された複数の通信利用情報が、送信側の通信端末で一つのメッセージから分割されて送信され受信側の通信端末で連結される複数の連結対象メッセージの通信利用情報であるか否かを判定するステップと、
前記複数の連結対象メッセージの通信利用情報である場合は、該複数の連結対象メッセージの通信利用情報それぞれについて課金処理するステップと、
を有することを特徴とする課金処理方法。
【請求項２】
請求項１の課金処理方法において、
前記特定された複数の通信利用情報に書き込まれているメッセージ分割順番情報に基づいて、前記複数の連結対象メッセージの通信利用情報であるか否かを判定することを特徴とする課金処理方法。
【請求項３】
請求項２の課金処理方法において、
前記特定された複数の通信利用情報のうち、前記メッセージ分割順番情報が互いに異なる複数の通信利用情報それぞれについて課金処理し、
前記メッセージ分割順番情報が同一の複数の通信利用情報については、そのいずれか一つの通信利用情報についてのみ課金処理し、その他の通信利用情報を不正な重複通信利用情報として課金処理対象としないことを特徴とする課金処理方法。
【請求項４】
請求項１乃至３のいずれかの課金処理方法において、
前記連結対象メッセージは、ＳＭＳ（ショートメッセージサービス）メッセージであることを特徴とする課金処理方法。
【請求項５】
通信ネットワークを介した通信端末間のメッセージ通信について生成された通信利用情報に基づいて課金処理を行う課金処理システムであって、
前記メッセージ通信について生成された複数の通信利用情報のうち、少なくとも通信開始日時と送信元と送信先とが同一の複数の通信利用情報を特定する通信利用情報特定手段と、
前記特定された複数の通信利用情報が、送信側の通信端末で一つのメッセージから分割されて送信され受信側の通信端末で連結される複数の連結対象メッセージの通信利用情報であるか否かを判定する判定手段と、
前記複数の連結対象メッセージの通信利用情報である場合は、該複数の連結対象メッセージの通信利用情報それぞれについて課金処理する課金処理手段と、
を備えることを特徴とする課金処理システム。
【請求項６】
請求項１の課金処理システムにおいて、
前記判定手段は、前記特定された複数の通信利用情報に書き込まれているメッセージ分割順番情報に基づいて、前記複数の連結対象メッセージの通信利用情報であるか否かを判定することを特徴とする課金処理システム。
【請求項７】
請求項６の課金処理システムにおいて、
前記課金処理手段は、
前記特定された複数の通信利用情報のうち、前記メッセージ分割順番情報が互いに異なる複数の通信利用情報それぞれについて課金処理し、
前記メッセージ分割順番情報が同一の複数の通信利用情報については、そのいずれか一つの通信利用情報についてのみ課金処理し、その他の通信利用情報を不正な重複通信利用情報として課金処理対象としないことを特徴とする課金処理システム。
【請求項８】
請求項５乃至７のいずれかの課金処理システムにおいて、
前記連結対象メッセージは、ＳＭＳ（ショートメッセージサービス）メッセージであることを特徴とする課金処理システム。
【発明の詳細な説明】
【技術分野】
【０００１】
本発明は、通信ネットワークを介した通信端末間のメッセージ通信について生成された通信利用情報に基づいて課金処理を行う課金処理方法及びそのシステムに関するものである。
【背景技術】
【０００２】
従来、この種の課金処理方法として、通信端末間で送受信されたサイズ制限（例えば１４０バイト以下の制限）のあるＳＭＳ（Short Message Service Centre）のメッセージ通信についてメッセージ配信装置（ＳＭＳＣ：Short Message Service Centre）から所定の通信利用情報収集装置（ＭＤＧＷ：Mediation Gateway）を介して送られてくる通信利用情報（ＣＤＲ：Call Detail Record）に基づいて、予め設定された料金計算レート（１メッセージあたりの料金）を用いて利用料金を計算する課金処理方法が知られている。この課金処理方法では、何らかの原因で同一のＳＭＳメッセージについて間違って生成された複数の通信利用情報について重複した課金を行わないように、各ＳＭＳメッセージの通信利用情報に書き込まれている通信開始日時、送信元及び送信先を参照する。そして、通信開始日時、送信元及び送信先のすべてが同じになっている複数の通信利用情報があった場合は、それらの複数の通信利用情報のうちいずれか一つの通信利用情報についてのみ課金処理を行い、他の通信利用情報について不正の通信利用情報として処理する。
【発明の開示】
【発明が解決しようとする課題】
【０００３】
一方、上記ＳＭＳのメッセージ通信は、サイズの大きなメッセージを分割して送信するときに使用される場合がある。この場合は、送信側の通信端末で一つの送信対象のメッセージから分割された複数のＳＭＳメッセージが連結対象メッセージとして送信される。受信側の通信端末では、上記送信側の通信端末から受信した複数のＳＭＳメッセージを連結し、一つのメッセージとして表示する。このように送信対象の一つのメッセージから分割された連結対象の複数のＳＭＳメッセージは送信側の通信端末からほぼ同時に送信されるため、各ＳＭＳメッセージの送信元及び送信先が互いに同じになるだけでなく、それらの通信開始日時も互いに同じになってしまう場合がある。この場合に、メッセージの分割送信に用いられた複数のＳＭＳメッセージについて上記従来の課金処理方法で課金処理を行おうとすると、次のように課金漏れが生じてしまう。すなわち、上記複数のＳＭＳメッセージの送信元、送信先及び通信開始日時が互いに同じになっていると、従来の課金処理方法では、各ＳＭＳメッセージに対して生成された複数の通信利用情報が互いに重複したものと判断される。そのため、それら複数のＳＭＳメッセージの通信利用情報のうち、いずれか一つのＳＭＳメッセージの通信利用情報についてのみ課金処理が行われ、他のＳＭＳメッセージの通信利用情報については不正の通信利用情報として処理され、課金漏れとなる。
【０００４】
本発明は以上の問題点に鑑みなされたものであり、その目的は、メッセージの分割送信に用いられた複数の連結対象メッセージについて課金処理を適切に行うことができる課金処理方法及びそのシステムを提供することである。
【課題を解決するための手段】
【０００５】
本発明に係る課金処理方法は、通信ネットワークを介した通信端末間のメッセージ通信について生成された通信利用情報に基づいて課金処理を行う課金処理方法であって、前記メッセージ通信について生成された複数の通信利用情報のうち、少なくとも通信開始日時と送信元と送信先とが同一の複数の通信利用情報を特定するステップと、前記特定された複数の通信利用情報が、送信側の通信端末で一つのメッセージから分割されて送信され受信側の通信端末で連結される複数の連結対象メッセージの通信利用情報であるか否かを判定するステップと、前記複数の連結対象メッセージの通信利用情報である場合は、該複数の連結対象メッセージの通信利用情報それぞれについて課金処理するステップと、を有することを特徴とするものである。
また、本発明に係る課金処理システムは、通信ネットワークを介した通信端末間のメッセージ通信について生成された通信利用情報に基づいて課金処理を行う課金処理システムであって、前記メッセージ通信について生成された複数の通信利用情報のうち、少なくとも通信開始日時と送信元と送信先とが同一の複数の通信利用情報を特定する通信利用情報特定手段と、前記特定された複数の通信利用情報が、送信側の通信端末で一つのメッセージから分割されて送信され受信側の通信端末で連結される複数の連結対象メッセージの通信利用情報であるか否かを判定する判定手段と、前記複数の連結対象メッセージの通信利用情報である場合は、該複数の連結対象メッセージの通信利用情報それぞれについて課金処理する課金処理手段と、を備えることを特徴とするものである。
この課金処理方法及び課金処理システムでは、前記少なくとも通信開始日時と送信元と送信先とが同一の複数の通信利用情報が、送信側の通信端末で一つのメッセージから分割されて送信され受信側の通信端末で連結される複数の連結対象メッセージの通信利用情報であると判定された場合は、それら複数の連結対象メッセージの通信利用情報それぞれについて課金処理する。これにより、送信側の通信端末で一つのメッセージから分割されて送信され受信側の通信端末で連結される複数の連結対象メッセージの通信利用情報に対する課金漏れを回避することができる。
【０００６】
前記課金処理方法において、前記特定された複数の通信利用情報に書き込まれているメッセージ分割順番情報に基づいて、前記複数の連結対象メッセージの通信利用情報であるか否かを判定してもよい。
また、前記課金処理システムにおいて、前記判定手段は、前記特定された複数の通信利用情報に書き込まれているメッセージ分割順番情報に基づいて、前記複数の連結対象メッセージの通信利用情報であるか否かを判定するものであってもよい。
この課金処理方法及び課金処理システムでは、送信側の通信端末で一つのメッセージから分割して送信する際に互いに異なる値が設定されるメッセージ分割順番情報を、前記分割データが振り分けられた複数の連結対象メッセージの通信利用情報であるか否かの判定に用いることにより、前記判定を容易に且つ精度よく行うことができる。
【０００７】
前記課金処理方法において、前記特定された複数の通信利用情報のうち、前記メッセージ分割順番情報が互いに異なる複数の通信利用情報それぞれについて課金処理し、前記メッセージ分割順番情報が同一の複数の通信利用情報については、そのいずれか一つの通信利用情報についてのみ課金処理し、その他の通信利用情報を不正な重複通信利用情報として課金処理対象としないようにしてもよい。
また、前記課金処理システムにおいて、前記課金処理手段は、前記特定された複数の通信利用情報のうち、前記メッセージ分割順番情報が互いに異なる複数の通信利用情報それぞれについて課金処理し、前記メッセージ分割順番情報が同一の複数の通信利用情報については、そのいずれか一つの通信利用情報についてのみ課金処理し、その他の通信利用情報を不正な重複通信利用情報として課金処理対象としないものであってもよい。
この課金処理方法及び課金処理システムでは、前記メッセージ分割順番情報が互いに異なる複数の通信利用情報についてはそそれぞれについて課金処理するとともに、前記メッセージ分割順番情報が同一の複数の通信利用情報については、そのいずれか一つの通信利用情報についてのみ課金処理することにより、課金漏れを回避する。そして、その前記メッセージ分割順番情報が同一の複数の通信利用情報の他の通信利用情報については、誤って生成された不正な重複通信利用情報として課金処理対象としないことにより、重複通信利用情報に対する誤課金を回避する。
【０００８】
前記課金処理方法及び前記課金処理システムにおいて、前記連結対象メッセージは、ＳＭＳメッセージであってもよい。
この課金処理方法及び課金処理システムでは、送信側の通信端末で一つのメッセージから分割されて送信され受信側の通信端末で連結される複数のＳＭＳメッセージの通信利用情報に対する課金漏れを回避することができる。
【０００９】
なお、上記課金処理方法及び課金処理システムにおける「課金処理」は、利用者が使用した通信サービスについて生成された通信利用情報に基づいて当該通信サービスの利用料金を計算し利用者へ利用料金の請求ができるようにする処理である。
また、上記メッセージを送受信する「通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の通信機能を有する電話機が挙げられる。また、この「通信端末」としては、上記電話機のほか、通信機能を有するＰＤＡ（Personal Digital Assistance）等の通信端末も挙げられる。
また、上記課金処理システムにおける情報処理は、その課金処理システムに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行ってもいいし、コンピュータネットワーク等の通信ネットワークを用いて行ってもよい。
【発明の効果】
【００１０】
本発明によれば、送信側の通信端末で一つのメッセージから分割されて送信され受信側の通信端末で連結される複数の連結対象メッセージの通信利用情報に対する課金漏れを回避し、メッセージの分割送信に用いられた複数の連結対象メッセージについて課金処理を適切に行うことができるという効果がある。
【発明を実施するための最良の形態】
【００１１】
以下、図面を参照して本発明の実施の形態について説明する。
図１は本実施形態に係る課金処理システムを含む通信システム全体の概略構成の一例を示す説明図である。この通信システムは、通信端末としての携帯電話機１０Ａ，１０Ｂと、通信ネットワークとしての携帯電話通信網２０と、課金処理システム３０を用いて構成されている。携帯電話通信網２０は、基地局２１と、交換機２２と、ＳＭＳ（ショート・メッセージ・サービス）に用いられるメッセージ配信装置としてのＳＭＳＣ（ショート・メッセージ・サービス・センター）２３と、通信利用情報収集装置としてのＭＤＧＷ（Mediation Gateway）２４とを備えている。なお、本実施形態では、ＧＳＭ（Global System for Mobile Communications）規格のメッセージサービスであるＳＭＳを用いる場合について説明するが、本発明は他のメッセージサービスを用いる場合にも適用できる。
【００１２】
上記基地局２１は、管轄対象のセルごとに設けられ、携帯電話通信網２０内の有線回線からのデータを無線インタフェースに合うデータフォーマットに変換し、管轄対象のセル内にある携帯電話機１０Ａ，１０Ｂに無線周波数で送信する。逆に無線周波数で送信される携帯電話機１０Ａ，１０Ｂからのデータを受信して有線インタフェースに合うデータフォーマットに変換し、携帯電話通信網２０内の有線回線部分に転送する。
【００１３】
上記交換機２２は、携帯電話通信網２０のコアネットワーク内で回線交換網を構成し、図示しない位置登録データベース（ＨＬＲ，ＶＬＲ）等に接続され、各携帯電話機間の通信や各携帯電話機と携帯電話通信網２０内の構成要素との間における通信を中継するように通信制御を行う。また、交換機２２は、各携帯電話機と他の通信ネットワークとの間における通信を中継するように通信制御を行う。
【００１４】
また、上記コアネットワークは、回線交換網のほか、図示しないＳＧＳＮ（Serving GPRS Support Node）やＧＧＳＮ（Gateway GPRS Support Node）等のノードによってパケット通信を制御するパケット交換網を有している。このパケット交換網のＳＧＳＮは、基地局２１が接続されている図示しない無線ネットワークコントローラとコアネットワーク側のパケット交換網との間のゲートウェイ機能と、各携帯電話機の位置管理、セキュリティ管理及びアクセス制御を行う機能とを有する。また、ＧＧＳＮは、コアネットワーク側のパケット交換網と、ＩＰネットワークとの間のゲートウェイ機能を有する。
【００１５】
上記ＳＭＳＣ２３は、携帯電話通信網１０上の携帯電話機の電話番号（端末識別情報）を宛先とする所定サイズ（例えば１４０バイト以下）のＳＭＳメッセージの配信処理を行う。このＳＭＳＣ２３は、送信側の携帯電話機１０Ａから送信されたＳＭＳメッセージを交換機２２を介して受信すると、そのＳＭＳメッセージを宛先（送信先）の電話番号に対応する受信側の携帯電話機１０Ｂに配信する。
【００１６】
上記ＳＭＳメッセージは、例えばヘッダー部とメッセージ本体部とフッター部とにより構成される。ＳＭＳメッセージのヘッダー部には、送信元情報、送信先情報、メッセージ識別情報、タイムスタンプ情報（通信開始日時情報）等のフィールドが設定され、それぞれ所定の値が書き込まれる。例えば、送信元情報及び送信先情報のフィールドにはそれぞれ、送信側の携帯電話機１０Ａの電話番号及び受信側の携帯電話機１０Ｂの電話番号が書き込まれる。ＳＭＳＣ２３は、上記ＳＭＳメッセージのヘッダー部の情報に基づいて、送受信されるＳＭＳメッセージごとに課金処理に用いられるＣＤＲ（通信利用情報）を生成する。各ＳＭＳメッセージのＣＤＲには、少なくとも通信開始日時と送信元情報と送信先情報とが書き込まれる。
【００１７】
また、送信対象のメッセージのサイズがＳＭＳの規定メッセージサイズ（例えば１４０バイト）よりも大きい場合は、次のようにメッセージの分割処理及び連結処理が行われる。例えば、送信対象のメッセージを３つのＳＭＳメッセージ（以下「連結対象ＳＭＳメッセージ」という。）に分割する場合、送信側の携帯電話機１０Ａでは、３つの連結対象ＳＭＳメッセージが生成され、各連結対象ＳＭＳメッセージのヘッダー部に設定された「ユーザーリファレンス」というフィールドにメッセージ分割順番情報が書き込まれ、各連結対象ＳＭＳメッセージがほぼ同時にＳＭＳＣ２３へ送信される。ここで、上記メッセージ分割順番情報は、送信対象のメッセージから分割されて各連結対象ＳＭＳメッセージに振り分けられた分割メッセージデータの分割順番を識別するための情報である。例えば、上記メッセージ分割順番情報を２バイトの値で書き込む場合、第１番目の分割メッセージデータが振り分けられた第１の連結対象ＳＭＳメッセージでは、ヘッダー部の「ユーザーリファレンス」に「０００１」（１６進数）が書き込まれる。同様に、第２番目及び第３番目の分割メッセージデータが振り分けられた第２及び第３の連結対象ＳＭＳメッセージでは、ヘッダー部の「ユーザーリファレンス」にそれぞれ「０００２」（１６進数）及び「０００３」（１６進数）が書き込まれる。受信側の携帯電話機１０Ｂでは、各連結対象ＳＭＳメッセージのユーザーリファレンスのフィールドから読み出したメッセージ分割順番情報に基づいて、連結対象ＳＭＳメッセージに含まれる分割メッセージデータの連結処理が実行され、元の送信対象の一つのメッセージが生成され表示される。
【００１８】
上記送信対象のメッセージから分割した複数の連結対象ＳＭＳメッセージが送受信される場合、上記ＳＭＳＣ２３は、複数の連結対象ＳＭＳメッセージごとに課金処理に用いられるＣＤＲ（通信利用情報）を生成する。例えば３つの連結対象ＳＭＳメッセージに分割して送受信される場合は３つのＣＤＲ（通信利用情報）が生成される。各連結対象ＳＭＳメッセージのＣＤＲには、少なくとも通信開始日時と送信元情報と送信先情報とメッセージ分割順番情報とが書き込まれる。
【００１９】
上記ＳＭＳＣ２３で生成されたＳＭＳメッセージのＣＤＲは、ＭＤＧＷ２４で集められ、課金処理システム３０に送信される。ＭＤＧＷ２４は、ＳＭＳメッセージのＣＤＲのほか、所定の交換機２２から音声通話のＣＤＲを収集し、課金処理システム３０に送信する。
【００２０】
図２は、上記課金処理システム３０のハードウェア構成の一例を示すブロック図である。なお、上記ＳＭＳＣ２３やＭＤＧＷ２４も同様に構成することができる。この課金処理システム３０は、システムバス３１０、ＣＰＵ３１１、内部記憶装置、外部記憶装置３１４、入力装置３１５、出力装置３１６、及び通信装置３１７を備えている。上記内部記憶装置は、ＲＡＭ３１２やＲＯＭ３１３等で構成されている。上記外部記憶装置は、ハードディスクドライブ（ＨＤＤ）や光ディスクドライブ等で構成されている。上記入力装置３１５は、マウスやキーボード等で構成されている。上記出力装置３１６は、ディスプレイやプリンタ等で構成されている。上記通信装置３１７は、所定の通信プロトコルにより、携帯電話通信網２０のＭＤＧＷ２４等と通信するための装置である。
上記ＣＰＵ３１１やＲＡＭ３１２等の構成要素はお互いに、システムバス３１０を介して、データやプログラムの命令等のやり取りを行っている。この課金処理システム３０を所定の手順に従って動作させるためのプログラムはＲＯＭ３１３や外部記憶装置３１４に記憶されており、必要に応じてＣＰＵ３１１やＲＡＭ３１２上の作業エリアに呼び出されて実行される。
【００２１】
また、上記課金処理システム３０は、一部又は全体を専用の制御装置として構成してもいいし、一部又は全体を汎用のコンピュータシステムを用いて構成してもよい。また、はそれぞれ、１台のコンピュータで構成してもいいし、複数の機能をそれぞれ受け持つ複数台のコンピュータをネットワークで結んで構成してもよい。
【００２２】
図３は、本実施形態に係る課金処理システム３０の主要な機能を抽出して示した機能ブロック図である。この課金処理システム３０は、ＣＤＲ受信手段３５０とＣＤＲ記憶手段３５１と通信利用情報特定手段３５２と判定手段３５３と課金処理手段３５４とを備えている。
【００２３】
上記ＣＤＲ受信手段３５０は上記通信装置３１７等で構成され、上記ＳＭＳＣ２３で生成されＭＤＧＷ２４で集められたＳＭＳメッセージのＣＤＲを受信する。例えば、ＣＤＲ受信手段３５０は、ＭＤＧＷ２４で所定期間内に集められた複数のＣＤＲ（例えば１日分のＣＤＲ）が書き込まれたＣＤＲファイルを受信する。
【００２４】
上記ＣＤＲ記憶手段３５１は上記内部記憶装置や外部記憶装置３１４等で構成され、上記ＣＤＲ−Ｃ２４から受信した課金処理前のＣＤＲや課金処理後のＣＤＲを記憶する。
【００２５】
上記通信利用情報特定手段３５２は上記ＣＰＵ３１１等で構成され、上記ＳＭＳメッセージ通信について生成された複数のＣＤＲのうち、少なくとも通信開始日時と送信側の携帯電話機の電話番号（送信元）と受信側の携帯電話機の電話番号（送信先）とが同一の複数のＣＤＲを特定する。例えば、通信利用情報特定手段３５２は、ＭＤＧＷ２４から受信したＣＤＲファイルに書き込まれているＣＤＲからＳＭＳメッセージ通信について生成された複数のＣＤＲを抽出し、それら複数のＳＭＳメッセージのＣＤＲの中から、少なくとも上記通信開始日時等が同一の複数のＣＤＲを特定する。
【００２６】
上記判定手段３５３は上記ＣＰＵ３１１等で構成され、上記特定された複数のＣＤＲに書き込まれているメッセージ分割順番情報に基づいて、その特定された複数のＣＤＲが、送信側の携帯電話機１０Ａで一つのメッセージから分割されて送信され受信側の携帯電話機１０Ｂで連結される複数の連結対象ＳＭＳメッセージのＣＤＲであるか否かを判定する。例えば、各ＳＭＳメッセージのＣＤＲにメッセージ分割順番情報として互いに異なる連番の数値が書き込まれている場合、それらのＣＤＲは連結対象ＳＭＳメッセージのＣＤＲであると判定する。
【００２７】
上記課金処理手段３５３は上記ＣＰＵ３１１等で構成され、複数の連結対象ＳＭＳメッセージのＣＤＲである場合は、それら複数の連結対象ＳＭＳメッセージのＣＤＲそれぞれについて課金処理する。具体的には、連結対象ＳＭＳメッセージのＣＤＲについて、予め設定された料金計算レート（１メッセージあたりの料金）で利用料金を計算する。計算された利用料金は、該当するＣＤＲ中の所定フィールドに書き込まれる。この課金処理済みのＣＤＲは、ＣＤＲ記憶手段３５１内の所定のファイルに書き込まれ、利用者に対する請求処理等に使用される。
【００２８】
また、上記課金処理手段３５３は、上記メッセージ分割順番情報が同一の複数のＣＤＲについては、そのいずれか一つのＣＤＲについてのみ課金処理し、その他のＣＤＲを不正な重複ＣＤＲとして課金処理対象としないように処理する。
【００２９】
図４は、上記構成の課金処理システム３０においてＳＭＳメッセージのＣＤＲについて課金処理するときの処理手順の一例を示すフローチャートである。
まず、課金処理システム３０は、所定期間分（例えば１日分）のＳＭＳメッセージ通信のＣＤＲや音声通話のＣＤＲが書き込まれたＣＤＲファイルを、所定のタイミングでＭＤＧＷ２４から受信し（Ｓ１０１）、ＣＤＲ記憶手段３５１に一旦保存する。
【００３０】
次に、課金処理システム３０は、ＭＤＧＷ２４から受信したＣＤＲファイルに書き込まれている複数のＣＤＲから、ＳＭＳメッセージのＣＤＲを抽出し（Ｓ１０２）、その抽出したＳＭＳメッセージのＣＤＲが書き込まれたＣＤＲファイルをＣＤＲ記憶手段３５１に保存する。
【００３１】
次に、課金処理システム３０は、ＳＭＳメッセージのＣＤＲファイルに書き込まれている複数のＳＭＳメッセージ通信について生成された複数のＣＤＲのうち、少なくとも通信開始日時と送信側の携帯電話機の電話番号（送信元）と受信側の携帯電話機の電話番号（送信先）とが同一の複数のＣＤＲを特定する（Ｓ１０３）。
【００３２】
次に、課金処理システム３０は、上記特定した複数のＣＤＲについて、各ＣＤＲのヘッダー部のユーザーリファレンスに書き込まれているメッセージ分割順番情報を比較し、各メッセージ分割順番情報が互いに異なるか否かを判定する（Ｓ１０４）。これにより、送信側の携帯電話機１０Ａで一つのメッセージから分割されて送信され受信側の携帯電話機１０Ｂで連結される複数の連結対象ＳＭＳメッセージのＣＤＲであるか否かを判定する。
【００３３】
ここで、上記特定した複数のＣＤＲに書き込まれているメッセージ分割順番情報が互いに異なる場合、課金処理システム３０は、複数の連結対象ＳＭＳメッセージのＣＤＲであると判定し（Ｓ１０５）、それら複数の連結対象ＳＭＳメッセージのＣＤＲそれぞれについて課金処理する（Ｓ１０６）。
【００３４】
一方、上記特定した複数のＣＤＲに書き込まれているメッセージ分割順番情報が同一の場合、課金処理システム３０は、連結対象ＳＭＳメッセージのＣＤＲではなく重複ＣＤＲであると判定する（Ｓ１０７）。そして、それら複数のＳＭＳメッセージのＣＤＲのいずれか一つのＣＤＲについて課金処理され、他の残りのＳＭＳメッセージのＣＤＲは課金処理対象とせずに不正ＣＤＲとして処理される（Ｓ１０８）。
【００３５】
以上、本実施形態によれば、送信側の携帯電話機１０Ａで一つのメッセージから分割されて送信され受信側の携帯電話機１０Ｂで連結される複数の連結対象のＳＭＳメッセージのＣＤＲについてはすべて課金処理を行い、連結対象のＳＭＳメッセージのＣＤＲに対する課金漏れを回避することができる。したがって、メッセージの分割送信に用いられた複数の連結対象のＳＭＳメッセージについて課金処理を適切に行うことができる。
また、本実施形態によれば、メッセージ分割順番情報が同一の通常のＳＭＳメッセージのＣＤＲについては、そのいずれか一つのＣＤＲについてのみ課金処理することにより、通常の単独ＳＭＳメッセージのＣＤＲに対する課金漏れを回避するとともに、その他のＣＤＲについては、誤って生成された不正な重複ＣＤＲとして課金処理対象としないことにより、重複ＣＤＲに対する誤課金を回避することができる。
【００３６】
なお、上記実施形態において上記複数のＣＤＲにおけるメッセージ分割順番情報が同一の場合には、各ＣＤＲのヘッダー部に上記ユーザーリファレンスのフィールドが設定されてない場合や、上記ユーザーリファレンスのフィールドにメッセージ分割順番情報が書き込まれていない場合も含まれる。
【００３７】
また、上記実施形態ではＳＭＳメッセージを送受信する通信端末が携帯電話機の場合について説明したが、本発明は、ＳＭＳメッセージを送受信するものであれば、携帯電話機以外の他の通信端末の場合についても同様に適用することができる。
【図面の簡単な説明】
【００３８】
【図１】本発明の実施形態に係る通信システム全体の概略構成の一例を示す説明図。
【図２】課金処理システムのハードウェア構成を示す概略構成図。
【図３】課金処理システムの主要な機能を抽出して示した機能ブロック図。
【図４】ＳＭＳメッセージのＣＤＲについて課金処理するときの処理手順の一例を示すフローチャート。
【符号の説明】
【００３９】
１０    携帯電話機
１０Ａ  送信側の携帯電話機
１０Ｂ  受信側の携帯電話機
２０    携帯電話通信網
２３    ＳＭＳＣ（ショート・メッセージ・サービス・センター）
２４    ＭＤＧＷ
３０    課金処理システム
【図１】
0004874924.tif 000002
【図２】
0004874924.tif 000003
【図３】
0004874924.tif 000004
【図４】
0004874924.tif 000005